(57)【要約】【課題】遊技者の遊技レベルに合った情報を提供することができるとともに、遊技者に対するサービスや遊技台の稼働率を向上させることができること。【解決手段】管理装置は、遊技者が遊技台で遊技をした場合に、遊技者を一意に識別する会員識別子と当該遊技台の機種とを対応付けて当該遊技者の遊技履歴情報として記憶し、遊技台の機種ごとに用意されており当該機種での遊技を案内する遊技台ガイド情報を複数の案内難易度についてそれぞれ記憶し、台間装置は、台間装置が取り扱う記録媒体から媒体識別子を読み取り、当該媒体識別子に基づいて会員識別子を取得して、取得された会員識別子に基づいて遊技履歴情報を取得し、取得された遊技履歴情報に基づいて選択した案内難易度に対応する遊技台ガイド情報を提供するように構成する。【選択図】図２
2010194120.tif 000002
【特許請求の範囲】
【請求項１】
遊技台ごとに設けられる台間装置と前記台間装置を管理する管理装置とで前記遊技台で遊技する遊技者に対して所定の情報を提供する情報提供システムであって、
前記管理装置は、
遊技者が前記遊技台で遊技をした場合に、前記遊技者を一意に識別する会員識別子と当該遊技台の機種とを対応付けて当該遊技者の遊技履歴情報として記憶する遊技履歴情報記憶手段と、
前記遊技台の前記機種ごとに用意されており当該機種での遊技を案内する遊技台ガイド情報を複数の案内難易度についてそれぞれ記憶する遊技台ガイド情報記憶手段と
を備え、
前記台間装置は、
前記台間装置が取り扱う記録媒体から媒体識別子を読み取り、当該媒体識別子に基づいて前記会員識別子を取得する会員識別子取得手段と、
前記会員識別子取得手段によって取得された前記会員識別子に基づいて前記遊技履歴情報を取得する遊技履歴情報取得手段と、
前記遊技履歴情報取得手段によって取得された前記遊技履歴情報に基づいて選択した前記案内難易度に対応する前記遊技台ガイド情報を提供する遊技台ガイド情報提供手段と
を備えたことを特徴とする情報提供システム。
【請求項２】
前記管理装置は、
前記遊技履歴情報に基づいて遊技習熟度合いのランクを示す遊技ランクを決定する遊技ランク決定手段
をさらに備え、
前記遊技台ガイド情報提供手段は、
前記遊技ランク決定手段によって決定された前記遊技ランクと対応する前記案内難易度の前記遊技台ガイド情報を提供することを特徴とする請求項１に記載の情報提供システム。
【請求項３】
前記遊技台ガイド情報をウェブページとして提供するウェブサーバ装置
をさらに備え、
前記会員識別子取得手段は、
遊技者によって携帯される携帯端末から前記媒体識別子を読み取り、
前記遊技台ガイド情報提供手段は、
前記会員識別子取得手段によって取得された前記会員識別子に基づいて選択した前記遊技台ガイド情報に対応する前記ウェブページのアドレスを前記携帯端末へ通知することを特徴とする請求項１または２に記載の情報提供システム。
【請求項４】
前記会員識別子取得手段は、
前記台間装置が取り扱う記録媒体から前記媒体識別子を読み取り、
前記遊技台ガイド情報提供手段は、
前記会員識別子取得手段によって取得された前記会員識別子に基づいて選択した前記遊技台ガイド情報を、前記台間装置に併設された表示装置へ表示させることを特徴とする請求項１または２に記載の情報提供システム。
【請求項５】
遊技台ごとに設けられる台間装置と前記台間装置を管理する管理装置とで前記遊技台で遊技する遊技者に対して所定の情報を提供する情報提供方法であって、
遊技者が前記遊技台で遊技をした場合に、前記遊技者を一意に識別する会員識別子と当該遊技台の機種とを対応付けて当該遊技者の遊技履歴情報として前記管理装置が記憶する遊技履歴情報記憶工程と、
前記遊技台の前記機種ごとに用意されており当該機種での遊技を案内する遊技台ガイド情報を複数の案内難易度についてそれぞれ前記管理装置が記憶する遊技台ガイド情報記憶工程と
を含み、
前記台間装置が取り扱う記録媒体から媒体識別子を読み取り、当該媒体識別子に基づいて前記会員識別子を前記台間装置が取得する会員識別子取得工程と、
前記会員識別子取得工程によって取得された前記会員識別子に基づいて前記遊技履歴情報を前記台間装置が取得する遊技履歴情報取得工程と、
前記遊技履歴情報取得工程によって取得された前記遊技履歴情報に基づいて選択した前記案内難易度に対応する前記遊技台ガイド情報を前記台間装置が提供する遊技台ガイド情報提供工程と
を含んだことを特徴とする情報提供方法。
【発明の詳細な説明】
【技術分野】
【０００１】
この発明は、遊技台ごとに設けられる台間装置と台間装置を管理する管理装置とで遊技台で遊技する遊技者に対して所定の情報を提供する情報提供システムおよび情報提供方法に関し、特に、遊技者の遊技レベルに合った情報を提供することができるとともに、遊技者に対するサービスや遊技台の稼働率を向上させることができる情報提供システムおよび情報提供方法に関する。
【背景技術】
【０００２】
従来から、パチンコ店等の遊技店に設置されるパチンコ機やパチスロ機といった遊技台と並設される払出処理機（以下、「台間装置」と記載する）が知られている。かかる台間装置では、遊技者により挿入された各種紙幣や遊技店の会員になった遊技者に配布される会員カードおよびプリペイド価値が関連付けられたカードを用いてパチンコ玉やメダルといった遊技媒体を払出す。
【０００３】
ところで、近年のパチンコ機の遊技手順には、様々なバリエーションがあり、遊技内容が複雑化してきている。たとえば、通常の遊技中は遊技台の中央を狙ってパチンコ玉を打つ必要があるものの、入賞中には遊技台の右側を狙って打たなくてはならない機種などがある。
【０００４】
また、パチスロ機では、入賞や役が成立した状態においてあらかじめ定められた停止ボタンの押下順序や押下タイミング通りに遊技を行わないと、コインやメダル等の払出を受けられない機種などがある。
【０００５】
このため、特許文献１には、複数ある停止ボタンの押下順序や押下タイミングを、パチスロ機に設けられた表示装置等で報知することによって、遊技者に遊技時のアドバイスを行う技術が開示されている。
【先行技術文献】
【特許文献】
【０００６】
【特許文献１】特開２００４−８４７４号公報
【発明の概要】
【発明が解決しようとする課題】
【０００７】
しかしながら、遊技機には多くの機種があり、すべての遊技機が特許文献１のアドバイス機能を有した遊技機であるとは限らない。そして、各遊技店は、遊技機導入のコスト等の関係から、アドバイス機能を有しない遊技機についても設置せざるを得ない。
【０００８】
このため、遊技者は、アドバイス機能を有する遊技機で遊技する場合には、アドバイスを受けることができるものの、アドバイス機能を有しない遊技機で遊技する場合には、アドバイスを受けることができないという問題があった。
【０００９】
そして、アドバイス機能を有しない遊技機で遊技する遊技者には、遊技手順を間違ったり、遊技機の故障と勘違いしたりといった不都合が生じていた。また、このような場合、遊技者が店の従業員に対して苦情を訴えるため、従業員の負荷も上がってしまっていた。なお、遊技手順等を記載した小冊子を遊技台付近に配置している遊技店も見受けられるが、かかる小冊子には、すべての遊技者が満足できる内容が記載されている訳ではない。
【００１０】
さらに、遊技者が携帯電話機などを用いて遊技方法が記載されているウェブサイトを閲覧する場合であっても、遊技者が知りたい情報が、常に最初のウェブページに記載されているとは限らない。このため、遊技者は、ウェブサイトを検索して所望するウェブページにたどり着く必要があり、遊技者対して過度な負担をかけてしまっていた。
【００１１】
また、特許文献１におけるアドバイス機能では、すべての遊技者に対して同一のアドバイスをしているに過ぎず、アドバイスの内容は、初心者にはわかりにくく、経験のある遊技者にとっては簡単すぎるという問題もあった。
【００１２】
これらのことから、遊技者の遊技レベルに合った情報を提供することができるとともに、遊技者に対するサービスや遊技台の稼働率を向上させることができる情報提供システムあるいは情報提供方法をいかにして実現するかが大きな課題となっている。
【００１３】
この発明は、上述した従来技術による問題点を解消するためになされたものであって、遊技者の遊技レベルに合った情報を提供することができるとともに、遊技者に対するサービスや遊技台の稼働率を向上させることができる情報提供システムおよび情報提供方法を提供することを目的とする。
【課題を解決するための手段】
【００１４】
上述した課題を解決し、目的を達成するため、請求項１にかかる発明は、遊技台ごとに設けられる台間装置と前記台間装置を管理する管理装置とで前記遊技台で遊技する遊技者に対して所定の情報を提供する情報提供システムであって、前記管理装置は、遊技者が前記遊技台で遊技をした場合に、前記遊技者を一意に識別する会員識別子と当該遊技台の機種とを対応付けて当該遊技者の遊技履歴情報として記憶する遊技履歴情報記憶手段と、前記遊技台の前記機種ごとに用意されており当該機種での遊技を案内する遊技台ガイド情報を複数の案内難易度についてそれぞれ記憶する遊技台ガイド情報記憶手段とを備え、前記台間装置は、前記台間装置が取り扱う記録媒体から媒体識別子を読み取り、当該媒体識別子に基づいて前記会員識別子を取得する会員識別子取得手段と、前記会員識別子取得手段によって取得された前記会員識別子に基づいて前記遊技履歴情報を取得する遊技履歴情報取得手段と、前記遊技履歴情報取得手段によって取得された前記遊技履歴情報に基づいて選択した前記案内難易度に対応する前記遊技台ガイド情報を提供する遊技台ガイド情報提供手段とを備えたことを特徴とする。
【００１５】
また、請求項２にかかる発明は、上記の発明において、前記管理装置は、前記遊技履歴情報に基づいて遊技習熟度合いのランクを示す遊技ランクを決定する遊技ランク決定手段をさらに備え、前記遊技台ガイド情報提供手段は、前記遊技ランク決定手段によって決定された前記遊技ランクと対応する前記案内難易度の前記遊技台ガイド情報を提供することを特徴とする。
【００１６】
また、請求項３にかかる発明は、上記の発明において、前記遊技台ガイド情報をウェブページとして提供するウェブサーバ装置をさらに備え、前記会員識別子取得手段は、遊技者によって携帯される携帯端末から前記媒体識別子を読み取り、前記遊技台ガイド情報提供手段は、前記会員識別子取得手段によって取得された前記会員識別子に基づいて選択した前記遊技台ガイド情報に対応する前記ウェブページのアドレスを前記携帯端末へ通知することを特徴とする。
【００１７】
また、請求項４にかかる発明は、上記の発明において、前記会員識別子取得手段は、前記台間装置が取り扱う記録媒体から前記媒体識別子を読み取り、前記遊技台ガイド情報提供手段は、前記会員識別子取得手段によって取得された前記会員識別子に基づいて選択した前記遊技台ガイド情報を、前記台間装置に併設された表示装置へ表示させることを特徴とする。
【発明の効果】
【００１８】
請求項１の発明によれば、管理装置は、遊技者が遊技台で遊技をした場合に、遊技者を一意に識別する会員識別子と当該遊技台の機種とを対応付けて当該遊技者の遊技履歴情報として記憶し、遊技台の機種ごとに用意されており当該機種での遊技を案内する遊技台ガイド情報を複数の案内難易度についてそれぞれ記憶し、台間装置は、台間装置が取り扱う記録媒体から媒体識別子を読み取り、当該媒体識別子に基づいて会員識別子を取得して、取得された会員識別子に基づいて遊技履歴情報を取得し、取得された遊技履歴情報に基づいて選択した案内難易度に対応する遊技台ガイド情報を提供することとしたので、遊技者の遊技レベルに合った情報を提供することができるという効果を奏する。
【００１９】
また、請求項２の発明によれば、管理装置は、遊技履歴情報に基づいて遊技習熟度合いのランクを示す遊技ランクを決定し、決定された遊技ランクと対応する案内難易度の遊技台ガイド情報を提供することとしたので、精度よく遊技者の遊技レベルに合った情報を提供することができるという効果を奏する。
【００２０】
また、請求項３の発明によれば、遊技台ガイド情報をウェブページとして提供するウェブサーバ装置をさらに備え、遊技者によって携帯される携帯端末から媒体識別子を読み取り、読み取った当該媒体識別子に基づいて会員識別子を取得して、取得された会員識別子に基づいて選択した遊技台ガイド情報に対応するウェブページのアドレスを携帯端末へ通知することとしたので、遊技者の保有する使い慣れた携帯端末を利用することによって、遊技者は容易に遊技台ガイド情報を瞬時に参照することができるという効果を奏する。
【００２１】
また、請求項４の発明によれば、台間装置が取り扱う記録媒体から媒体識別子を読み取り、読み取った当該媒体識別子に基づいて会員識別子を取得して、取得された会員識別子に基づいて選択した遊技台ガイド情報を、台間装置に併設された表示装置へ表示させることとしたので、遊技者の参照したい情報を瞬時に表示することができるという効果を奏する。
【図面の簡単な説明】
【００２２】
【図１】図１は、本発明にかかる情報提供システムの概要を示す図である。
【図２】図２は、本実施例にかかる情報提供システムの構成を示すブロック図である。
【図３】図３は、本実施例にかかる店内システムのシステム構成図である。
【図４】図４は、遊技履歴情報の一例を示す図である。
【図５】図５は、遊技台ガイド情報の一例を示す図である。
【図６】図６は、遊技台ガイド表示の一例を示す図である。
【図７】図７は、本実施例にかかる遊技台ガイド表示処理手順を示すシーケンス図である。
【図８】図８は、本実施例にかかる遊技台ガイド処理手順を示すフローチャートである。
【図９】図９は、変形例にかかる情報提供システムの構成を示すブロック図である。
【発明を実施するための形態】
【００２３】
以下に添付図面を参照して、本発明にかかる情報提供システムの好適な実施例を詳細に説明する。なお、以下では、本発明にかかる情報提供システムの概要について図１を用いて説明した後に、本発明にかかる情報提供システムについての実施例を図２〜図９を用いて説明することとする。
【００２４】
従来の遊技台での遊技方法は、多種多様化している上に、入賞中の遊技方法がわかりにくい、また、初心者等にとっては遊技方法が複雑である等の理由で、遊技者の遊技意識向上の妨げとなり、遊技台の稼働低下を招いてしまう。
【００２５】
そこで、今回の本発明にかかる情報提供システムでは、遊技台に併設する台間装置および管理装置で、遊技者の遊技履歴を管理することによって、遊技者の遊技レベルに合った情報を提供することができる機能を備えた点に主たる特徴がある。
【００２６】
図１は、本発明にかかる情報提供システムの概要を示す図である。同図に示すように、遊技台には、台間装置および液晶モニタが併設されており、会員に登録した遊技者に発行した会員カードを用いて、遊技台ガイド情報を提供する場合について説明する。
【００２７】
たとえば、遊技者が遊技時に遊技台に併設する台間装置に設けられたカード挿入口に、会員カードを挿入すると（同図の（１）参照）、台間装置では、会員カードに記憶された会員番号を読み取る。
【００２８】
そして、台間装置は、会員番号とともに遊技台の機種を、会員情報等を統括管理する管理装置に送信することによって、当該遊技者の遊技履歴情報への登録を指示し、管理装置では、受信した会員番号と機種とを対応付けて登録する（同図の（２）参照）。
【００２９】
登録と同時に、管理装置では、登録または更新された履歴情報に基づいて、当該遊技者の遊技習熟度合いのランク付けを行い、遊技履歴情報に記憶し、台間装置へ当該遊技者のランクを通知する。
【００３０】
なお、ここでは、会員番号とともに遊技台の機種を管理装置に送信するようにしたが、管理装置で台間装置の識別子と機種名とを対応付けた情報を記憶しておくことで、会員番号とともに台間装置の識別子を管理装置に送信してもよい。
【００３１】
この場合、台間装置で機種の情報を持たなくてもよいことから、遊技台が変更された場合に、台間装置の設定を変えずにすむことによって、台間装置のメンテナンスにかかる負荷が軽減される。
【００３２】
一方、台間装置は、管理装置から当該会員番号のランクを取得し（同図の（３）参照）、取得したランクに応じた遊技情報を遊技台ガイド情報から取得し（同図の（４）参照）、各台間装置に併設された液晶モニタによって、遊技情報を表示する（同図の（５）参照）。
【００３３】
たとえば、遊技履歴情報に当該会員番号の遊技履歴が登録されていなかった場合は、「はじめての人向け」ガイド情報を表示し、また、遊技履歴情報に当該会員番号の当該機種の遊技回数が１０回以上と登録されていた場合には、「プレミアリーチ」ガイド情報を表示する等、遊技者に応じた遊技台ガイド情報を表示する。
【００３４】
このように、本発明にかかる情報提供システムでは、遊技者の遊技履歴情報に基づいてガイド情報を選択して表示することによって、遊技者の遊技レベルに合った情報を提供することができる。
【実施例】
【００３５】
以下に添付図面を参照して、本発明にかかる情報提供システムについての実施例を詳細に説明する。なお、以下では、まず、本実施例にかかる情報提供システムの構成について説明する。図２は、本実施例にかかる情報提供システムの構成を示すブロック図である。
【００３６】
台間装置１０は、カード読取部１１と、表示部１２と、通信Ｉ／Ｆ（インターフェース）１３と、制御部１４とを備えている。また、制御部１４は、受付部１４ａと、履歴登録部１４ｂと、ランク取得部１４ｃと、振分処理部１４ｄと、遊技情報取得部１４ｅとをさらに備えている。なお、図２では、台間装置１０の特徴点を説明するために必要な構成要素のみを抜粋して示している。
【００３７】
カード読取部１１は、遊技者により挿入された各種紙幣や遊技店の会員になった遊技者に配布される会員カードに記憶された会員番号を読み取る読取部である。なお、プリペイド価値が関連付けられたカードの識別子、残額および持玉数等も読み取る。
【００３８】
表示部１２は、台間装置１０に併設された遊技台の遊技方法等の遊技台ガイド情報を表示する、台間装置１０に併設された、各台に設置されている表示装置であり、たとえば、液晶ディスプレイおよびスピーカー等で構成されている。
【００３９】
通信Ｉ／Ｆ１３は、ＬＡＮカード等の通信デバイスで構成され、ＬＡＮ等のネットワーク経由で、たとえば、カード読取部１１で読み取った会員カードの会員番号を台間装置１０から管理装置へ送信する等、台間装置１０と管理装置との間のデータ送受信を行う。
【００４０】
受付部１４ａは、カード読取部１１で読み取った会員カードの会員番号を受け付けて、当該会員番号の遊技履歴情報を更新および取得するため、履歴登録部１４ｂやランク取得部１４ｃへ当該会員番号とともに処理を渡す処理を行う処理部である。
【００４１】
履歴登録部１４ｂは、受付部１４ａからの会員番号を、通信Ｉ／Ｆ１３を介して管理装置に送信することで、当該会員番号の遊技履歴情報の更新や登録を行う処理を行う処理部である。
【００４２】
ランク取得部１４ｃは、受付部１４ａからの会員番号を、通信Ｉ／Ｆ１３を介して管理装置に送信し、遊技履歴情報に記憶されている当該会員番号の遊技習熟度合いのランクを取得する処理を行う処理部である。
【００４３】
振分処理部１４ｄは、当該会員番号の遊技習熟度合いのランクによって、どのようなレベルの遊技台ガイド情報を提供するかを振分ける処理を行う処理部である。
【００４４】
遊技情報取得部１４ｅは、振分処理部１４ｄで振分けられたレベルに対応する遊技台ガイド情報を、通信Ｉ／Ｆ１３を介して管理装置から取得し、表示部１２へ渡す処理を行う処理部である。
【００４５】
なお、ここでは、カード読取部１１で会員カードに記憶されている会員番号を読み取るようにしたが、おサイフケータイ（登録商標）の識別子を読み取る読取部を設けてもよい。そして、おサイフケータイ（登録商標）の識別子を会員の識別子として記憶管理することで、携帯電話端末を会員カードの代わりとして用いてもよい。
【００４６】
つづいて、本実施例にかかる遊技店の店内システムのシステム構成について図３を用いて説明する。図３は、本実施例にかかる店内システムのシステム構成図である。
【００４７】
同図に示すように、遊技店に設置された管理装置３０には、ＬＡＮ（Local  Area  Network）等のネットワーク経由で、島コントローラ４０と、店内端末機５０とが接続されている。
【００４８】
また、島コントローラ４０には、台間装置１０と、パチンコ機２０とが接続されており、店内端末機５０には、大型ビジョン６０が接続されている。なお、同図には、１台の島コントローラ４０のみを示しているが、管理装置３０には所定数の島コントローラ４０が接続されるものとする。
【００４９】
台間装置１０は、島コントローラ４０と各パチンコ機２０との間に介在し、ひとつの島コントローラ４０に対して、所定数の台間装置１０が接続されるものとする。パチンコ機２０は、パチンコ玉を遊技領域に発射して遊技者がパチンコ遊技を行う装置である。
【００５０】
管理装置３０は、遊技履歴情報３０ａおよび遊技台ガイド情報３０ｂを備え、データベース等の記憶装置に記憶して、遊技者の遊技履歴および遊技台ガイドの管理をしている。なお、遊技台ガイド情報３０ｂは、図示しないウェブサーバ装置等に備えてもよい。
【００５１】
遊技履歴情報３０ａは、会員に登録した遊技者に会員カードを発行し、発行するカードに記憶される会員番号を用いて、機種、遊技回数および投資金額とともに遊技履歴として記憶する。
【００５２】
島コントローラ４０は、周囲を通路に囲まれたスペース（遊技島）に設けられた一群のパチンコ機２０および台間装置１０を束ねる中継装置である。
【００５３】
店内端末機５０は、遊技島端に設けられていたり、店内サービスカウンター付近に設けられている、遊技台の台データや遊技台ガイド情報３０ｂを取り扱う端末であり、会員をはじめ遊技者に対して情報サービスを提供する装置である。
【００５４】
たとえば、店内端末機５０では、遊技者がメインメニューから遊技台ガイド表示を選択した後、機種や台の番号等を入力すると、併設される大型ビジョン６０に、遊技台ガイド情報３０ｂに記憶されている当該機種の遊技方法を表示する。
【００５５】
なお、台間装置１０に併設される液晶モニタでも、メインメニューから遊技台ガイド表示を選択した後、機種や台の番号等を入力すると、遊技台ガイド情報３０ｂに記憶されている当該機種の遊技方法を表示することができる。
【００５６】
さらに、店内端末機５０に、遊技者が自身の会員カードを挿入またはかざすことによって、会員カードの会員番号を読み取って、遊技履歴情報３０ａを取得し、取得した遊技履歴情報３０ａに基づいて遊技習熟度合いのランク付けを行い、当該ランクに対応する遊技台ガイド情報３０ｂを併設される大型ビジョン６０に表示することもできる。
【００５７】
また、遊技店内には、上述したシステムの他に、図示しない景品交換機と管理装置３０とを含んで構成されるシステムが併存している。なお、図３では、本発明の特徴点を説明するために必要なシステム構成のみを抜粋して示している。
【００５８】
つぎに、管理装置３０に備える遊技履歴情報３０ａの一例について図４を用いて説明する。図４は、遊技履歴情報３０ａの一例を示す図である。同図に示すように、遊技履歴情報３０ａは、「会員番号」、「機種」、「グループ」、「遊技回数」、「投資額」、「大当り回数」、および、「ランク」の項目を含んでいる。
【００５９】
「会員番号」項目は、会員に登録した遊技者を識別する識別子であり、遊技者に発行した会員カードに記憶された会員番号である。「機種」項目は、当該会員番号の遊技者が遊技した遊技台の機種である。
【００６０】
「グループ」項目は、遊技方法や振る舞いが類似している機種をグループ分けして、あらかじめ登録しておくことによって、遊技習熟度合いのランク付けを行う際、同一グループの他の機種の遊技回数や投資額を加味する。
【００６１】
たとえば、遊技店が新しい遊技台（機種Ｄとする）を設置した際、遊技履歴情報３０ａには、まだいずれの会員についても機種Ｄの遊技履歴は登録されていない。しかし、機種Ｄのグループを、あらかじめ「ｂ」と登録しておいた場合に、会員番号が「２２２」である遊技者が機種Ｄで遊技を行ったとする。
【００６２】
この場合、会員番号２２２の遊技者は、遊技履歴情報３０ａにグループｂである他の機種Ｂの遊技履歴が登録されている（同図表の２行目参照）ことから、当該遊技者に対して遊技習熟度合いのランク付けを行う際、機種Ｂで遊技した際に登録されている遊技回数および投資額に基づいて、遊技習熟度合いのランク付けを行う。
【００６３】
つぎに、「遊技回数」項目は、遊技者が遊技台に会員カードを挿入して遊技を始めた際に、機種別に１ずつ加算する。たとえば、会員番号２２２の遊技者が機種Ｃである遊技台で遊技した場合、同図表の３行目の遊技回数は、「５」から「６」に更新される。
【００６４】
また「投資額」項目は、遊技者が会員カードを挿入して遊技中に投資した投資額を、機種別に加算する。「大当り回数」項目は、遊技者が会員カードを挿入して遊技中に大当りした回数を、機種別に加算する。
【００６５】
なお、投資額や大当り回数については、カード挿入中の投資額や大当り回数を台間装置１０で記憶しておき、遊技者が遊技終了時に、カード返却ボタン等を押下することにより会員カードを返却するが、その際に、台間装置１０に記憶しておいた投資額や大当り回数を遊技履歴情報３０ａに加算するようにしてもよい。
【００６６】
さいごに「ランク」項目は、遊技習熟度合いのランクで、遊技履歴情報３０ａが新規登録された際、または、遊技回数や投資額等が更新された際に、最新の遊技履歴に基づいてランク付けを行う。
【００６７】
たとえば、遊技履歴情報３０ａに記憶された遊技回数や投資金額等によって、いずれの遊技習熟度合いのランク付けを行う。具体的には、ある機種での遊技回数が１回であった場合に、当該機種は「はじめての人」ランクということでランクを「１」とする。
【００６８】
また、同一グループの遊技回数合計が２回から１０回未満であった場合、「通常」会員としてランクを「２」とし、同一グループの遊技回数合計が１０回以上であった場合、「プレミア」会員としてランクを「３」とする。さらに、同一グループの投資額合計が所定額以上の場合、「特別」会員としてランクを「４」とする。
【００６９】
なお、ここでは、ランク付けの条件の一例を説明してきたが、図示しない条件設定テーブルをもつなどして、自由に条件設定を追加／変更できるようにしてもよい。また、ランクを４段階に設定するように説明してきたが、５段階以上にランクを分割してもよく、この場合、より詳細に遊技者の遊技履歴に対応した遊技台ガイドを提供することができる。
【００７０】
上述してきたように、遊技履歴情報３０ａは、会員番号と機種とを対応付けて、遊技回数、投資額、大当り回数およびランク等の遊技履歴を登録／更新し、機種別にあらかじめグループ分けされた「グループ」とともに記憶しておく。
【００７１】
つづいて、管理装置３０に備える遊技台ガイド情報３０ｂの一例について図５および図６を用いて説明する。図５は、遊技台ガイド情報３０ｂの一例を示す図である。また、図６は、遊技台ガイド表示の一例を示す図である。図５に示すように、遊技台ガイド情報３０ｂは、「機種」、「ガイド種別」、「レベル」、および、「ガイド情報」の項目を含んでいる。
【００７２】
「機種」項目は、遊技台の機種であり、遊技台ガイド情報３０ｂは、当該機種の遊技方法やリーチ情報等の「ガイド情報」項目と、当該ガイド情報の種別である「ガイド種別」項目とを記憶する。また、遊技台ガイド情報３０ｂは、遊技レベルによってガイド情報の内容が違うため、「レベル」項目を併せて記憶し、遊技レベル別のガイド情報を管理する。
【００７３】
そして、台間装置１０では、機種別およびレベル別に記憶された遊技台ガイド情報３０ｂから、台間装置に併設されたパチンコ機２０の機種および遊技履歴情報３０ａのランクに基づいて振分けられたレベルに対応するガイド情報を取得し、表示することとなる。
【００７４】
たとえば、台間装置１０で、遊技履歴情報３０ａのランクが「１」の場合は、遊技台ガイド情報３０ｂのレベルを「１」と振り分けて、以下同様に、遊技履歴情報３０ａのランクが「２」、「３」、または「４」の場合は、遊技台ガイド情報３０ｂのレベルを「２」、「３」、または「４」と振り分けたとした場合について説明する。
【００７５】
台間装置１０は、機種Ａで遊技する遊技者の遊技履歴情報３０ａに基づいて、振分けられたレベルが「１」であった場合には、遊技台ガイド情報３０ｂから、図５表の１行目に記憶されている「機種Ａ、レベル１」であるガイド情報を取得し、図６上部（Ａ）に示すような、「基本遊び方ガイド」を表示する。
【００７６】
また、台間装置１０は、振分けられたレベルが「３」であった場合には、遊技台ガイド情報３０ｂから、図５表の２行目に記憶されている「機種Ａ、レベル３」であるガイド情報を取得し、図６中段（Ｂ）に示すような、「プレミア演出ガイド」を表示する。
【００７７】
そして、台間装置１０は、振分けられたレベルが「４」であった場合には、遊技台ガイド情報３０ｂから、図５表の３行目に記憶されている「機種Ａ、レベル４」であるガイド情報を取得し、図６下部（Ｃ）に示すような、「特別！攻略ガイド」を表示する。
【００７８】
なお、ここでは、遊技履歴情報３０ａのランクおよび遊技台ガイド情報３０ｂのレベルを双方同じ４段階に分割した場合について説明したが、ランクまたはレベルをより細分化した段階に分割してもよいし、ランクとレベルの分割数は、同じである必要はない。
【００７９】
つぎに、台間装置１０および管理装置３０が実行する遊技台ガイド表示処理手順について図７を用いて説明する。図７は、本実施例にかかる遊技台ガイド表示処理手順を示すシーケンス図である。
【００８０】
同図に示すように、台間装置１０では、遊技者の持つ会員カードが挿入されたら（ステップＳ１０１）、会員カードに記憶されている会員番号を読み取って、読み取った会員番号と機種とを管理装置３０に送信することによって、遊技履歴の登録要求を行う（ステップＳ１０２）。
【００８１】
一方、遊技履歴の登録要求を受けた管理装置３０では、受信した会員番号および機種が遊技履歴情報３０ａに存在するか否かを検索し、存在した場合、当該遊技履歴情報３０ａの遊技回数を、１加算する。
【００８２】
また、管理装置３０は、受信した会員番号および機種が遊技履歴情報３０ａに存在しなかった場合、当該会員番号と当該機種とを遊技履歴情報３０ａに、新しく登録する（ステップＳ１０３）と同時に、遊技習熟度合いのランク付けを行う。
【００８３】
そして、当該会員番号の当該機種のランクを台間装置１０に通知し（ステップＳ１０４）、台間装置１０では、受信したランクに基づいて、どの遊技レベルに対応するかを振分ける（ステップＳ１０５）。
【００８４】
ついで、台間装置１０は、機種と取得したいガイド種別とステップＳ１０５で振分けた遊技レベルとを管理装置３０に送信することによって、遊技台ガイド情報３０ｂの取得を行う（ステップＳ１０６）。
【００８５】
一方、管理装置３０は、受信した機種、ガイド種別および遊技レベルと一致する遊技台ガイド情報３０ｂを台間装置１０に通知して（ステップＳ１０７）、台間装置１０では、受信した遊技台ガイド情報３０ｂを台間装置１０に併設された液晶モニタ等に表示する（ステップＳ１０８）。
【００８６】
このように、会員カードを持っている遊技者の遊技履歴情報３０ａに応じて、遊技レベル別に管理されている遊技台ガイド情報３０ｂの中から、振分けた遊技レベルに対応するガイド情報を取得して、表示するようにした。
【００８７】
したがって、多様な遊技者に対して、的確な遊技台ガイド情報を提供できるとともに、遊技中の遊技台に関するガイド情報が即時に表示されるため、煩雑な操作も不要である。これらのことから、新しい遊技台や遊技方法が複雑な遊技台でも、遊技者が容易に遊技できることで、遊技台の稼働率を向上させることができる。
【００８８】
また、初心者から経験のある遊技者まで、幅広い層の遊技客に対して、レベルに合ったガイド情報を提供することができるため、従業員が操作の説明に遊技者から呼びとめられて質問を受けるようなことも減り、従業員の負荷が大幅に軽減することができる。
【００８９】
ところで、これまでは、会員カードを持っている遊技者が、遊技台に併設された台間装置１０に会員カードを挿入して、各台間装置１０に併設された液晶モニタに当該遊技台の遊技台ガイド情報３０ｂを表示するような構成について説明してきた。
【００９０】
しかし、会員に登録していない遊技者（以下、「非会員の遊技者」と記載する）にも、遊技台のガイド情報を提供することができる遊技台ガイド表示処理手順について図８を用いて説明する。図８は、本実施例にかかる遊技台ガイド処理手順を示すフローチャートである。
【００９１】
まず、非会員の遊技者には、「遊び方」、「リーチ情報」および「チャンス目」等の遊技台ガイド情報３０ｂのガイド種別毎の情報を参照することができるカードを店内サービスカウンター等で配布する。当該カードには、それぞれガイド種別が記憶されているものとする。
【００９２】
そして、非会員の遊技者が遊技中に、台間装置１０に参照したいガイド種別のカードを挿入すると、カード読取部１１では、挿入されたカードを受け付けて（ステップＳ２０１）、当該カードに記憶されたガイド種別を読み取る（ステップＳ２０２）。
【００９３】
その後、台間装置１０では、台間装置１０に併設される遊技台の機種かつ当該ガイド種別の遊技台ガイド情報３０ｂを取得し（ステップＳ２０３）、台間装置１０に併設された液晶モニタ等に表示する（ステップＳ２０４）。
【００９４】
このように、遊技者が参照したいガイド種別のカードを挿入することで、瞬時に遊技台のガイド情報を参照することができる。それにより、遊技者はメインメニューから遊技台ガイド表示を選択した後、機種や台の番号等を入力する等の煩雑な操作をすることなく、非常に容易な操作によって見たいガイド種別のガイド情報を参照することができる。
【００９５】
また、年配の遊技者にとっては、小さい字は読みづらく、メインメニューから選択をする操作が困難である場合も生じることから、遊技者が非常に簡単な操作で遊技台ガイド情報３０ｂを参照できることによって、幅広い年齢層の遊技者に情報提供することができ、大幅にサービス向上することができる。
【００９６】
なお、ここでは、遊技者が参照したいガイド種別のカードを挿入するようにしたが、各台間装置１０にガイド種別毎の参照ボタンを備えて、ガイド種別毎の参照ボタンを押下することによって、当該ガイド種別の遊技台ガイド情報３０ｂを液晶モニタに表示するようにしてもよい。
【００９７】
この場合、ガイド種別毎のカードを店内サービスカウンター等で配布しなくてよいため、従業員の負荷を減少することができ、かつ、ガイド種別毎のカードを用意しなくてよいため、カード発行にかかるコストを削減することができる。
【００９８】
また、ここでは、台間装置１０に併設されている液晶モニタに遊技台ガイド情報３０ｂを表示するように構成したが、台間装置１０に遊技者の所有する後述するおサイフケータイ（登録商標）機能をもつ携帯端末をかざすことによって、当該遊技台の挿入されたカードのガイド種別であるガイド情報が記載されているウェブページのＵＲＬ（Uniform  Resource  Locator）を該携帯端末に通知してもよい。
【００９９】
この場合、該携帯端末では、通知されたＵＲＬに接続することで、携帯で閲覧可能なウェブページへ直接接続ができ、ウェブサイトのメインメニューから選択や検索をする操作を必要としないので、無駄なパケット代金を使用することなく、遊技者に不利益にならないサービスを提供することができる。
【０１００】
ところで、これまで本発明の実施例について説明してきたが、本発明は上記した実施例以外にも、種々の異なる形態にて実施されてよいものである。本実施例においては、遊技台ガイド表示処理をする際に、会員カードに記憶された会員番号を遊技履歴情報３０ａに登録する手法を説明した。
【０１０１】
しかしながら、本発明はこれに限られるものではない。そこで、以下では、携帯電話端末を利用して、持玉分割処理を行う場合の変形例について、図９を用いて説明する。図９は、変形例にかかる情報提供システムの構成を示すブロック図である。
【０１０２】
近年、唯一の識別子をもつＦｅｌｉＣａ（登録商標）と呼ばれる、ＩＣ（Integrated  Circuit）チップを内蔵した携帯電話端末（以下、「おサイフケータイ（登録商標）」と記載する）が知られている。
【０１０３】
本変形例では、遊技者がおサイフケータイ（登録商標）を所有していた場合、会員に登録する際、会員番号が記憶された会員カードを発行するのではなく、おサイフケータイ（登録商標）を会員登録用端末等にかざし、おサイフケータイ（登録商標）の識別子を読み取る。
【０１０４】
そして、管理装置では、会員登録した遊技者の会員番号と、おサイフケータイ（登録商標）の識別子とを対応付けて会員情報を管理しておく。これにより、遊技者は会員カードの替わりにおサイフケータイ（登録商標）をかざして管理装置と通信を行うことによって、さまざまな会員サービスを受けることができることとなる。
【０１０５】
図９に示すように、携帯読取部１１０は、おサイフケータイ（登録商標）に内蔵されたＦｅｌｉＣａ（登録商標）と呼ばれる、ＩＣ（Integrated  Circuit）チップに設けられた識別子を無線通信によって読み取る読取部である。
【０１０６】
変形例にかかる台間装置１００は、携帯読取部１１０で読み取る、会員番号と対応付けられているおサイフケータイ（登録商標）の識別子に基づいて、遊技台ガイド処理が行われる点で図２に示した台間装置１０とは異なる。
【０１０７】
また、台間装置１００では、遊技履歴情報３０ａの遊技履歴によって振分けたランクに対応する遊技履歴情報３０ａを提供する際、遊技台のガイド情報が記載されているウェブページのＵＲＬを、携帯読取部１１０を介して遊技者の持つ携帯電話端末に通知する。
【０１０８】
そして、遊技者は自身の携帯電話端末で、通知されたＵＲＬに接続することで、遊技履歴に応じた遊技台のガイド情報が表示されたウェブページを携帯電話端末によって閲覧することができる。
【０１０９】
さらに、遊技台のガイド情報が記載されているウェブページでは、ガイド情報の他に、当該遊技台の複数あるリーチ演出のうち、遊技者が演出別に達成したか否かを書込み、保存できるようなウェブページも提供し、双方向でのサービスを提供することができる。
【０１１０】
また、会員登録した遊技者が、遊技者の保有するパソコンで、遊技店のウェブサイトにアクセスした場合でも、会員番号やあらかじめ設定しておいたパスワード等を入力することで、ウェブサーバを介して遊技履歴情報３０ａの遊技履歴に対応した遊技台ガイドを安全に閲覧することができ、遊技者に対するサービスの向上を図ることができる。
【０１１１】
上述してきたように、本実施例では、遊技台ガイド表示処理をする際に、遊技履歴によって振分けたランクに対応するガイド情報を表示することで、遊技者の遊技レベルに合った情報を提供することができるとともに、遊技者に対するサービスや遊技台の稼働率を向上させることができる。
【０１１２】
なお、本発明請求項記載の台間装置は台間装置１０、管理装置は管理装置３０、遊技履歴情報記憶手段は遊技履歴情報３０ａ、遊技台ガイド情報記憶手段は遊技台ガイド情報３０ｂ、会員識別子取得手段はカード読取部１１、遊技履歴情報取得手段はランク取得部１４ｃ、遊技台ガイド情報提供手段は振分処理部１４ｄ、遊技情報取得部１４ｅおよび表示部１２に相当するものである。
【０１１３】
なお、上述した実施例では、遊技履歴情報３０ａで記憶する会員の識別子を、会員番号として説明してきたが、英数字で表現される会員識別子でもよく、この場合、短い桁数であっても多くの会員数を管理することができ、記憶容量を大幅に軽減することができる。
【０１１４】
また、上述した実施例では、カード読取部１１で読み取るカードの識別子を、会員番号として説明してきたが、カードに記憶されたカード番号でもよく、カード番号と会員番号とを対応付けて遊技履歴情報３０ａに記憶することとしてもよい。
【０１１５】
また、上述した実施例では、台間装置１０は、遊技習熟度合いのランク付けを行う際、遊技履歴に基づいて所定数の段階にランクを分割したが、遊技回数が特定の回数に到達した場合、たとえば、遊技回数が２０回になった場合に、通常のガイド情報とは別に特典ガイド情報のように、特別報酬（ボーナス）のような位置づけのサービス情報を提供するようにしてもよく、遊技者の遊技意識の向上を促すこととなり、遊技台の稼働率を向上させることができる。
【０１１６】
また、前回利用したガイド情報やガイド種別のカードを会員番号と関連付けておくことにより、同遊技機種で次回の利用要求があった場合は、前回利用したランクと同等か、もしくは１ランク上の遊技台情報を提供することとしてもよい。
【０１１７】
また、上述した実施例では、パチンコ遊技に適用する例を説明したが、パチスロ遊技を対象としてさらに含めた場合又はパチスロ遊技のみを対象とした場合にも同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１１８】
以上のように、本発明にかかる台間装置は、遊技台において遊技者が自身の遊技レベルにあった遊技台のガイド情報を参照したい場合に有用であり、特に、台間装置に併設する遊技台の遊技方法がわかりにくい上、遊技方法のアドバイスが報知されない機種である場合に適している。
【符号の説明】
【０１１９】
１０    台間装置
１１    カード読取部
１２    表示部
１３    通信Ｉ／Ｆ
１４    制御部
１４ａ  受付部
１４ｂ  履歴登録部
１４ｃ  ランク取得部
１４ｄ  振分処理部
１４ｅ  遊技情報取得部
２０    パチンコ機
３０    管理装置
３０ａ  遊技履歴情報
３０ｂ  遊技台ガイド情報
４０    島コントローラ
５０    店内端末機
６０    大型ビジョン
【図１】
2010194120.tif 000003
【図２】
2010194120.tif 000004
【図３】
2010194120.tif 000005
【図４】
2010194120.tif 000006
【図５】
2010194120.tif 000007
【図６】
2010194120.tif 000008
【図７】
2010194120.tif 000009
【図８】
2010194120.tif 000010
【図９】
2010194120.tif 000011